(57)【特許請求の範囲】
【請求項１】
外部への空気の排出を許容する一方、内部への空気の侵入を阻止するようにした逆止弁であって、弁口（１）を有するベース板（２）と、薄肉状に形成された周縁部（３ａ）にシール面（３ｃ）を有して前記弁口（１）を覆うように前記ベース板（２）に取り付けられるゴム弁（３）と、を備え、前記弁口（１）を密封可能な袋体（４）に形成した弁用開口（５）に対応させて、前記ベース板（２）が前記弁用開口（５）の周縁に取り付けられた状態では、前記ゴム弁（３）のシール面（３ｃ）と前記ベース板（２）との間に前記袋体（４）の弁用開口（５）の周縁部（５ａ）が介在されていることを特徴とする逆止弁。
【請求項２】
前記袋体（４）内部の空気圧又は外部からの吸気力によって前記ゴム弁（３）の周縁部（３ａ）がゴムの弾発力に抗して内側から押し上げられることで前記袋体（４）の弁用開口（５）の周縁部（５ａ）から前記シール面（３ｃ）が離間させられて前記袋体（４）の内部から外部への空気の流出が許容される一方、ゴムの弾発力に加えて大気圧によって前記ゴム弁（３）の周縁部（３ａ）が外側から押圧されることで前記袋体（４）の弁用開口（５）の周縁部（５ａ）に前記シール面（３ｃ）が密接して外部から前記袋体（４）の内部への空気の流入が阻止されるように構成したことを特徴とする請求項１に記載の逆止弁。
【請求項３】
前記ゴム弁（３）は、平面視で円形状に形成され、その周縁部（３ａ）は、半径方向外方に向けて肉厚が先細り状に薄くなるように形成され、かつ、その周縁部（３ａ）の内側に、前記ベース板（２）に形成された係止部（２ｂ）に係止される被係止部（３ｂ）を備えることを特徴とする請求項１又は２に記載の逆止弁。
【請求項４】
前記係止部（２ｂ）は、前記弁口（１）の周縁から所定の間隔を隔てて立ち上げられた複数のリブ（２ｃ）によって支持され、前記ゴム弁（３）の被係止部（３ｂ）が前記ベース板（２）に形成された係止部（２ｂ）に係止された状態では、前記ゴム弁（３）の内側に、前記複数のリブ（２ｃ）間に形成される開口（２ｄ）に連通する空間部（３ｅ）が形成されることを特徴とする請求項３に記載の逆止弁。
【請求項５】
前記ゴム弁（３）を保護するための保護部材（６）を前記ベース板（２）に着脱自在に設けたことを特徴とする請求項１乃至４の何れかに記載の逆止弁。
【請求項６】
前記保護部材（６）は、ドーム状に形成されて空気の流通を許容する貫通孔（６ａ）〜（６ｃ）を有し、かつ、前記袋体（４）の弁用開口（５）の周縁部（５ａ）を前記ベース板（２）との間に挟持するための挟持部（６ｈ）を備えることを特徴とする請求項５に記載の逆止弁。
【請求項７】
前記ゴム弁（３）の周縁部（３ａ）の表面側に、該周縁部（３ａ）を持ち上げるための突起（３ｄ）を設けたことを特徴とする請求項１乃至６の何れかに記載の逆止弁。
【請求項８】
前記保護部材（６）に、前記ゴム弁（３）の突起（３ｄ）の一部を表面に突出させる貫通孔（６ｄ）を形成したことを特徴とする請求項７に記載の逆止弁。
【請求項９】
前記貫通孔（６ｄ）は、前記突起（３ｄ）を持ち上げて前記ゴム弁（３）の周縁部（３
ａ）を、前記保護部材（６）の周縁部（６ｅ）に載置した状態に係止させることができる程度の大きさに形成されることを特徴とする請求項８に記載の逆止弁。
【請求項１０】
請求項５乃至９の何れかに記載の逆止弁に電気掃除機の吸引ノズル（８）を接続するためのアダプターであって、
筒状体の一端側に、前記吸引ノズル（８）を挿入可能なノズル接続部（９）を設ける一方、前記筒状体の他端側に、前記逆止弁の保護部材（６）に被嵌可能な弁接続部（１１）を設けたことを特徴とするアダプター。
【請求項１１】
請求項１乃至９の何れかに記載の逆止弁を備えた圧縮袋であって、
前記袋体（４）の開口部（１２）には密封可能なチャック（１３）が設けられ、前記弁口（１）を前記袋体（４）に形成した弁用開口（５）に対応させて、前記ベース板（２）が前記弁用開口（５）の周縁に取り付けられたことを特徴とする圧縮袋。
【発明の詳細な説明】
【技術分野】
【０００１】
本発明は、衣類や寝具等を収納するための袋体に取り付けられる簡易な逆止弁、その逆止弁に電気掃除機を接続するためのアダプター及びその逆止弁を備えた圧縮袋に関する。
【背景技術】
【０００２】
押し入れやタンスに衣類や寝具等を保管する場合に、内部の空気を抜いて容積を縮小しコンパクトな圧縮状態に保持できるようにした圧縮袋が用いられることが多い。このような圧縮袋は、流通過程においても、より多くの衣類や寝具等をコンパクトに圧縮した状態に収納して搬送・保管できるため流通コストを低減できる大きな利点もある。例えば、袋体に設けた排気弁（逆止弁）に電気掃除機の吸引ノズルを押し当てて内部の空気を吸引できるようにした圧縮袋が提案されている（例えば、特許文献１参照）。
【０００３】
その排気弁は、例えば、吸引ノズルに連通させる吸気用孔を有する蓋体の上面をドーム状に形成して、吸引ノズルを垂直状態のみならず傾斜させた状態に蓋体に当接させても脱気できるようにすると共に、その脱気状態を保持するためのロック機構を備えている。そのロック機構は、蓋体を一方向に回動させることによって弁板を排気孔に押圧して閉弁状態とし、蓋体を他方向に回動させることによって弁板の排気孔への押圧を解除して開弁状態とするように構成される。
【０００４】
一方、キャンプや登山、旅行等の際に着替え類や身の回り品をまとめて携行する場合に用いられる圧縮袋では、電気掃除機を用いることなくもっと手軽に圧縮状態にすることができ、かつ、面倒なロック操作を必要とすることなく圧縮状態を保持できるのが望ましい。そこで、例えば、図１０に示すような簡易な圧縮袋が市販されている。この例では、２枚合わせの合成樹脂シート２１，２１の両側部２１ａ，２１ａを溶着し、開口部には気密状態でのシールが可能な凸条部と凹条部からなるチャック２２を設ける一方、底部には、排気弁２３を形成している。
【０００５】
その排気弁２３は、２条の溶着部２３ａ，２３ｂを所定の間隔をおいて底辺近傍に並行に配設し、一方の溶着部２３ａと一方の側部２１ａの間と、他方の溶着部２３ｂと他方の側部２１ａの間とにそれぞれ非溶着部２３ｃ，２３ｄを形成し、その両非溶着部２３ｃ，２３ｄを経由して破線の矢印で示す方向への空気の排出を許容するが、その逆方向（袋体内）への空気の流入（侵入）が阻止されるように構成される。
【０００６】
このような構成により、折り畳んだ衣類等を開口部から圧縮袋内に収納してスライダ２２ａを移動させてチャック２２を閉じた後、チャック２２の側から丸め込むようにして内部の空気を排気弁２３の非溶着部２３ｃ，２３ｄを経由させて外部に放出させることで圧縮状態としてスーツケース等に収納することができる。圧縮袋に収納した衣類等を使用する際には、チャック２２を開くことによって容易に取り出すことができる。
【０００７】
【特許文献１】特開２００４−３３８７８４公報
【発明の開示】
【発明が解決しようとする課題】
【０００８】
しかし、上述のような圧縮袋では、最初に袋体内の空気を外部に放出させる際に、非溶着部２３ｃ，２３ｄで密接状態にくっついている２枚のシートを分離させるためにかなり大きな力が必要とされ、非力な婦人や子供では空気を放出させるのが容易でないことがあった。また、その非溶着部２３ｃ，２３ｄでくっついている２枚のシートが分離する際にかなり大きな破裂音が発生するという難点もある。
【０００９】
しかも、このような排気弁２３を有する圧縮袋では、一旦圧縮状態としても、時間の経過と共に内部に空気が徐々に入り込み長時間縮小状態を保つことができないという問題もあった。つまり、上述の排気弁２３の構成では、非溶着部２３ｃ，２３ｄ及び２条の溶着部２３ａ，２３ｂ間のシート同士を大気圧によって押し付けているだけであるから外気の侵入を充分に阻止することができなかった。
【００１０】
また、このような排気弁２３の非溶着部２３ｃ，２３ｄ及び２条の溶着部２３ａ，２３ｂ間のシート間にオイル（油）を充填してオイルシールを施すようにしたものや空気の排出経路を蛇行させて排出経路長を稼ぐようにしたもの、空気の排出口をテープで封止するもの等々も提案されているが、これらにおいても外気の侵入を充分に阻止することができなかった。しかも、キャンプや登山、旅行等に使用される圧縮袋では、できるだけコンパクトで収容スペースが大であることが重要な要件になるが、上述のような弁構造では、袋体の底辺近傍に排気弁２３を形成するためのスペースを確保しなければならないため、その分だけ収容スペースが少なくなり圧縮袋全体のコンパクト化が妨げられるという問題もあった。
【００１１】
本発明は、このような実情に鑑みてなされ、空気を容易に放出させることができ、かつ、逆止効果が良好で構成が簡易な逆止弁、その逆止弁に電気掃除機を接続するためのアダプター及びその逆止弁を備えた圧縮袋を提供することを目的とする。
【課題を解決するための手段】
【００１２】
（１）本発明の逆止弁は、外部への空気の排出を許容する一方、内部への空気の侵入を阻止するようにした逆止弁であって、弁口１を有するベース板２と、薄肉状に形成された周縁部３ａにシール面３ｃを有して前記弁口１を覆うように前記ベース板２に取り付けられるゴム弁３と、を備え、前記弁口１を密封可能な袋体４に形成した弁用開口５に対応させて、前記ベース板２が前記弁用開口５の周縁に取り付けられた状態では、前記ゴム弁３のシール面３ｃと前記ベース板２との間に前記袋体４の弁用開口５の周縁部５ａが介在されていることを特徴とする。
【００１３】
このような構成によれば、ゴム弁３自体の弾発性によって、弁口１から外部への空気の排出が許容される一方、外部から弁口１への空気の侵入が阻止されるので、構成を簡素化することができ、安価に提供することができる。また、シール面３ｃが形成されている薄肉状の周縁部３ａを変形させれば開弁できるので、開弁のために大きな力を必要とせず、しかも、ゴム弁３自体の弾発性によって閉弁されるので、閉弁状態を維持するために面倒なロック操作を必要としない。
【００１４】
（２）前記袋体４内部の空気圧又は外部からの吸気力によって前記ゴム弁３の周縁部３ａがゴムの弾発力に抗して内側から押し上げられることで前記袋体４の弁用開口５の周縁部５ａから前記シール面３ｃが離間させられて前記袋体４の内部から外部への空気の流出が許容される一方、ゴムの弾発力に加えて大気圧によって前記ゴム弁３の周縁部３ａが外側から押圧されることで前記袋体４の弁用開口５の周縁部５ａに前記シール面３ｃが密接して外部から前記袋体４の内部への空気の流入が阻止されるように構成してもよい。
【００１５】
このように、逆止弁が袋体４に取り付けられた状態では、内部に衣類等を収納した後袋体４の開口部を密封し、袋体４を押さえ付けたり折り畳んだりすることによって内部の空気圧を高めるか、或いは、電気掃除機によって外部から吸気力を作用させることによってゴム弁３のシール面３ｃを袋体４の弁用開口５の周縁から離間させ、袋体４の内部から外部へ空気を流出させて、袋体４を圧縮状態にすることができる。
【００１６】
その圧縮作業では、袋体４を押さえ付けたり折り畳んだりすることによって内部の空気圧を高めれば、薄肉状に形成された柔軟なゴム弁３の周縁部３ａを変形させて外部への排気が可能となるため、従来のような大きな力は必要とされず、非力な婦人や子供でも空気を容易に放出させることができる。袋体４を圧縮状態にすれば、ゴム弁３の周縁部３ａがゴムの弾発力に加えて大気圧によって外側から押圧されることによって袋体４の弁用開口５の周縁にシール面３ｃが密接して弁用開口５が閉塞されるため、外部から袋体４の内部への空気の侵入が効果的に阻止され袋体４の圧縮状態が保持される。
【００１７】
（３）前記ゴム弁３は、平面視で円形状に形成され、その周縁部３ａは、半径方向外方に向けて肉厚が先細り状に薄くなるように形成され、かつ、その周縁部３ａの内側に、前記ベース板２に形成された係止部２ｂに係止される被係止部３ｂを備えてもよい。
【００１８】
このようにすれば、ゴム弁３の被係止部３ｂをベース板２の係止部２ｂに係止させることでゴム弁３をベース板２に固定することができ、円形状に形成されたゴム弁３の周縁部３ａから空気を周囲に満遍なく放出させることができる。また、シール面３ｃが形成される周縁部３ａが半径方向外方に向けて肉厚が先細り状に薄くなるように形成されているため袋体４の弁用開口５の周縁に対して緊密な密接状態が得られ、外部から袋体４の内部への空気の侵入を効果的に阻止することができる。
【００１９】
（４）前記係止部２ｂは、前記弁口１の周縁から所定の間隔を隔てて立ち上げられた複数のリブ２ｃによって支持され、前記ゴム弁３の被係止部３ｂが前記ベース板２に形成された係止部２ｂに係止された状態では、前記ゴム弁３の内側に、前記複数のリブ２ｃ間に形成される開口２ｄに連通する空間部３ｅが形成されるようにしてもよい。このようにすれば、袋体４を圧縮状態にする際に、袋体４内の空気を弁口１からリブ２ｃ間の開口２ｄを経由させて空間部３ｅに滞りなく導入してゴム弁３の内側の内圧を高めやすくなるため、周縁部３ａから外部への空気の排出が容易となる。
【００２０】
（５）前記ゴム弁３を保護するための保護部材６を前記ベース板２に着脱自在に設けてもよい。例えば、ゴム弁３への接触や脱落を防ぐための保護部材６を設けることによって、ゴム弁３の損傷や脱落等に起因するトラブルの発生を防ぐことができる。
【００２１】
（６）前記保護部材６は、ドーム状に形成されて空気の流通を許容する貫通孔６ａ〜６ｃを有し、かつ、前記袋体４の弁用開口５の周縁を前記ベース板２との間に挟持するための挟持部６ｈを備えてもよい。このようにすれば、保護部材６の周縁に形成した挟持部６ａによってベース板２との間に袋体４の弁用開口５の周縁を挟持させることができるため、別途、ベース板２に袋体４を挟持させるための部材は不要となる。
【００２２】
（７）前記ゴム弁３の周縁部３ａの表面側に、該周縁部３ａを持ち上げるための突起３ｄを設けてもよい。このようにすれば、突起３ｄを持ち上げることで密封状態で圧縮されている袋体４の開口部をわざわざ開くことなく、袋体４の内部に空気を導入して圧縮状態を解除することができる。
【００２３】
（８）前記保護部材６に、前記ゴム弁３の突起３ｄの一部を表面に突出させる貫通孔６ｄを形成してもよい。このようにすれば、保護部材６を取り外すことなく、突起３ｄを持ち上げることで、袋体４の内部に空気を導入することができる。
【００２４】
（９）前記貫通孔６ｄは、前記突起３ｄを持ち上げて前記ゴム弁３の周縁部３ａを、前記保護部材６の周縁部６ｅに載置した状態に係止させることができる程度の大きさに形成されてもよい。このようにすれば、突起３ｄを持ち上げてゴム弁３の周縁部３ａを、保護部材６の周縁部６ｅに載置した状態に係止させておくことで、袋体４の内部に空気を導入することができる。従って、突起３ｄから手を離しても、袋体４の内部に空気を導入することができるため、空気導入作業の性が向上する。
【００２５】
（１０）（５）乃至（９）項の何れかに記載の逆止弁に電気掃除機の吸引ノズル８を接続するためのアダプターであって、
筒状体の一端側に、前記吸引ノズル８を挿入可能なノズル接続部９を設ける一方、前記筒状体の他端側に、前記逆止弁の保護部材６に被嵌可能な弁接続部１１を設けたことを特徴とする。
【００２６】
このような構成によれば、アダプターを介して逆止弁に電気掃除機の吸引ノズル８を接続することが可能となり利便性が向上する。その接続状態では、保護部材６によって逆止弁の脱落が防止される。
【００２７】
（１１）（１）乃至（９）項の何れかに記載の逆止弁を備えた圧縮袋にあって、前記袋体４の開口部１２には密封可能なチャック１３が設けられ、前記弁口１を前記袋体４に形成した弁用開口５に対応させて、前記ベース板２が前記弁用開口５の周縁に取り付けられてもよい。
【００２８】
このような構成によれば、袋体４内に衣類等を収納してチャック１３を閉じた後、袋体４を押さえ付けたり折り畳んだりすることによって内部の空気圧を高めるか、或いは、電気掃除機によって外部から吸気力を作用させることで、ゴム弁３自体の弾発性によって、弁口１から外部への空気の排出が許容される一方、外部から弁口１への空気の侵入が阻止されるので、逆止弁の構成を簡素化することができ、安価に提供することができる。また、シール面３ｃが形成されている薄肉状の周縁部３ａを変形させれば開弁できるので、開弁のために大きな力を必要とせず、しかも、ゴム弁３自体の弾発性によって閉弁されるので、閉弁状態を維持するための面倒なロック操作を必要としない。衣類等を使用する際には、チャックを開くことによって圧縮状態が解除されるため、容易に取り出すことができる。さらに、袋体４の任意の箇所に弁用開口５を形成して逆止弁を取り付けることができるので、逆止弁を取り付けるために別途スペースを必要としなくなるため、圧縮袋２０をコンパクトに形成できる。
【発明の効果】
【００２９】
本発明の逆止弁では、弁口を有するベース板と、薄肉状に形成された周縁部にシール面を有して前記弁口を覆うように前記ベース板に取り付けられるゴム弁と、を備えるので、ゴム弁自体の弾発性によって、弁口から外部への空気の排出を許容する一方、外部から弁口への空気の侵入を阻止することができるため、構成を簡素化することができ、安価に提供することができる。また、シール面が形成された薄肉状の周縁部を変形させれば開弁できるので、開弁のために大きな力を必要としない。しかも、ゴム弁自体の弾発性によって閉弁されるので、閉弁状態を維持するために面倒なロック操作を必要としない。
【００３０】
本発明のアダプターでは、筒状体の一端側に、電気掃除機の吸引ノズルを挿入可能なノズル接続部が形成される一方、筒状体の他端側に、逆止弁の保護部材に嵌脱自在に被嵌させる弁接続部が形成されるので、アダプターを介して逆止弁に電気掃除機の吸引ノズルを接続することが可能となり利便性が向上する。その接続状態では、保護部材によって逆止弁の脱落が防止される。
【００３１】
本発明の圧縮袋では、袋体内に衣類等を収納してチャックを閉じた後、袋体を押さえ付けたり折り畳んだりすることによって内部の空気圧を高めるか、或いは、電気掃除機によって外部から吸気力を作用させることで逆止弁から外部に空気を排出させ、袋体を圧縮状態にすることができる。その圧縮作業では、シール面が形成された薄肉状の周縁部を変形させれば開弁できるので、開弁のために大きな力を必要としない。しかも、ゴム弁自体の弾発性によって閉弁されるので、閉弁状態を維持するために面倒なロック操作を必要としない。衣類等を使用する際には、チャックを開くことによって圧縮状態が解除されるため、容易に取り出すことができる。さらに、袋体の任意の箇所に弁用開口を形成して逆止弁を取り付けることができるので、逆止弁を取り付けるために別途スペースを必要としなくなるため、圧縮袋をコンパクトに形成できる。
【発明を実施するための最良の形態】
【００３２】
以下に、本発明の最良の実施の形態に係る逆止弁、アダプター及び圧縮袋について詳細に説明する。
図１は圧縮袋に取り付けた状態の逆止弁１０の断面図、図６は逆止弁１０が取り付けられた圧縮袋２０を示す。この圧縮袋２０は、矩形状の合成樹脂シートを二枚合わせにしてその両側と底辺の三方を溶着ｈし、開口部にチャック１３を設けて密封可能に形成され、そのチャック１３の近傍位置に逆止弁１０が設けられている。これらの図にて、符号１は弁口、２は弁口１が形成されたベース板、３はベース板２に取り付けられたゴム弁で、平面視で円形状に形成され、その周縁部３ａは、半径方向外方に向けて肉厚が先細り状に薄くなるように形成され、かつ、その周縁部３ａには下向きのシール面３ｃが形成され、内側に、ベース板２に形成された係止部２ｂに係止される被係止部３ｂを備えている。４は密封可能な袋体、５は袋体４に形成した弁用開口、６はゴム弁３の損傷や脱落を防止するための保護部材で、円形のドーム状に形成されて空気の流通を許容する貫通孔６ａ〜６ｃを有する。
【００３３】
逆止弁１０が圧縮袋２０に取り付けられた状態では、図１に示すように、弁口１を袋体４の弁用開口５に対応させて保護部材６の周縁に形成した挟持部６ｈによってベース板２との間に袋体４の弁用開口５の周縁が挟持されており、ゴム弁３のシール面３ｃとベース板２との間に、袋体４の弁用開口５の周縁部５ａが介在している。このような構成により、袋体４内に衣類等を収納してチャック１３を閉じた後、袋体４を押さえ付けたり折り畳んだりすることによって内部の空気圧を高めるか、或いは、後述するように、電気掃除機を接続して逆止弁１０に外部から吸気力を作用させることで、ゴム弁３の周縁部３ａが、ゴムの弾発力に抗して内側から押し上げられることで袋体４の弁用開口５の周縁部５ａからシール面３ｃが離間させられ袋体４の内部から外部への空気の流出が許容される。
【００３４】
その圧縮作業では、袋体４を押さえ付けたり折り畳んだりすることによって内部の空気圧を高めれば、薄肉状に形成された柔軟なゴム弁３の周縁部３ａを変形させて外部への排気が可能となるため、従来のような大きな力は必要とされず、非力な婦人や子供でも空気を容易に放出させることができる。袋体４を圧縮状態にすれば、ゴム弁３の周縁部３ａがゴムの弾発力に加えて大気圧によって外側から押圧されることによって袋体４の弁用開口５の周縁部５ａにシール面３ｃが密接して弁用開口５が閉塞されるため、外部から袋体４の内部への空気の侵入が効果的に阻止され袋体４の圧縮状態が安定的に保持される。
【００３５】
このように、ゴム弁３自体の弾発性によって逆止機能を奏するため、逆止弁１０の構成を簡素化することができ、安価に提供することができる。また、シール面３ｃが形成されている薄肉状の周縁部３ａを変形させれば開弁できるので、開弁のために大きな力を必要とせず、しかも、ゴム弁３自体の弾発性によって閉弁されるので、閉弁状態を維持するために面倒なロック操作を必要としない。そして、袋体４の任意の箇所に弁用開口５を形成して逆止弁１０を取り付けることができるので、逆止弁１０を取り付けるために別途スペースを必要としなくなり、圧縮袋２０をコンパクトに形成できる利点もある。
【００３６】
全体についてさらに詳細に説明すると、図２（ａ）〜（ｃ）に示すように、平面視で円形状に形成されたゴム弁３の周縁部３ａは、半径方向外方に向けて肉厚が先細り状に薄くなるように形成され、その先端下部にシール面３ｃがリング状に形成されているため、袋体４の弁用開口５の周縁部５ａに対して緊密なシール状態が得られる。そして、その内側下部中央部が円形状にくり抜かれ、そのくり抜かれた部分の上部に被係止部３ｂが円弧溝状に形成されており、その被係止部３ｂがベース板２に形成された係止部２ｂに係脱自在に係止される。一方、ゴム弁３の周縁部３ｂの表面側には、該周縁部３ａを持ち上げるための突起３ｄが設けられている。
【００３７】
ベース板２は、図３（ａ）〜（ｃ）に示すように、平面視で円板状に形成され、その基板２ａの外周に、保護部材６の内周下部に形成された係止溝（挟持部）６ｈを係止させるための周状突部２ｈが形成されている。ゴム弁３を係止させるための係止部２ｂは、十文字状に形成され、弁口１の周縁から所定の間隔を隔てて立ち上げられた４本のリブ２ｃによって支持される。なお、係止部２ｂは円板状に形成されてもよい。このような係止部２ｂにゴム弁３の被係止部３ｂが係止された状態では、ゴム弁３の内側に、複数のリブ２ｃ間に形成される開口２ｄに連通する空間部３ｅが形成されるため（図１参照）、袋体４を圧縮状態にする際に、袋体４内の空気を弁口１からリブ２ｃ間の開口２ｄを経由させて空間部３ｅに滞りなく導入してゴム弁３の内側の内圧を高めやすくなり、周縁部３ａから外部への空気の排出が容易となる。一方、ベース板２の裏面には、弁口１から複数の凸条部２ｒが放射状に形成され、袋体４内に収納された圧縮状態の収納物によって弁口１が閉塞されることなく、各凸条部２ｒ，２ｒ間に形成される放射状の溝に空気を導入して弁口１から空気を滞りなく排出させることができるようにしている。
【００３８】
保護部材６は、図４（ａ）〜（ｃ）に示すように、円周方向に所定の間隔をおいて３列に配設された貫通孔６ａ〜６ｃを有し、最外側の貫通孔６ａは、上凸の円弧状断面に形成された周縁部６ｅに形成され、その内側列に形成された貫通孔６ｂと内側で放射方向の連通溝ｒを介して連通している。このような構成により、後述するように、電気掃除機の吸気力を作用させた時に、ゴム弁３の背面側が内側列の貫通孔６ｂに密接しても、その貫通孔６ｂが連通溝ｒを介して最外側の貫通孔６ａと連通しているため、充分な吸気動作を確保することができる。また、最外側の貫通孔６ａの中心は、ゴム弁３よりも僅かに外側の位置に配設さている。そして、ゴム弁３の突起３ｄを突出させるための貫通孔６ｄが周縁部６ｅの内側のドーム状部分に円弧状の長孔に形成されている。このような保護部材６により、ゴム弁３の損傷や脱落等に起因するトラブルの発生を防ぐことができ、また、後述するように、電気掃除機による吸気操作が可能となる。なお、この貫通孔６ｄは、図示のような円弧状の長孔に限定されることなく、適宜な形状に形成されてよい。また、ｐはピンゲートを示す。
【００３９】
ゴム弁３の表面側に設けられた突起３ｄは、図１に示すように、保護部材６に形成された貫通孔６ｄからその一部が突出しており、外部からこの突起３ｄを持ち上げることで密封状態で圧縮されている袋体４のチャック１３をわざわざ開かなくても、逆止弁１０を開弁し、袋体４の内部に空気を導入して圧縮状態を解除することができる。その突起３ｄを持ち上げた状態では、図５に示すように、ゴム弁３のシール面３ｃが持ち上げられて袋体４の弁用開口５の周縁部５ａから離れて、そのシール面３ｃを周縁部３ａと共に、保護部材６の周縁部６ｅに載置した状態に係止させることができ、その状態で袋体４の内部に空気を導入することができる。このように、突起３ｄを持ち上げて、シール面３ｃと周縁部３ａを保護部材６の周縁部６ｅに係止させることができる程度の大きさに貫通孔６ｄを形成すれば、突起３ｄから手を離した状態でも袋体４を膨らませることができる。これにより、搬送過程で圧縮状態とされた多数の圧縮袋２０を搬送完了後等に膨らませる際には、その作業性が著しく向上する。
【００４０】
図７（ａ）（ｂ）は、逆止弁１０に電気掃除機の吸引ノズル８（図８参照）を接続するためのアダプター３０を示す。このアダプター３０は、筒状体の一端側に、前記吸引ノズル８を挿入可能なノズル接続部９を設ける一方、前記筒状体の他端側に、保護部材６に被嵌可能な弁接続部１１を設けている。ノズル接続部９は、先端側（図示下方）の内径を若干絞り込んで吸引ノズル８を納まりやすくしている。一方、弁接続部１１には、保護部材６の周縁部６ｅの曲面に嵌合する円弧状の当接面を有する複数の下向き突部１１ｃ（８個）が設け、その弁接続部１１を保護部材６に安定性よく被嵌させることができるようにしている。
【００４１】
逆止弁１０に電気掃除機の吸引ノズル８を接続するには（図８参照）、まず、逆止弁１０の保護部材６の周縁部６ｅに弁接続部１１を被嵌させた状態として、そのノズル接続部９に吸引ノズル８を挿入すればよく、その状態で吸引することができる。その際に、ゴム弁３の背面側が内側列の貫通孔６ｂ，６ｃに密接しても、その貫通孔６ｂが連通溝ｒを介して最外側の貫通孔６ａと連通しているため、充分な吸気動作を確保することができ、かつ、ゴム弁３の脱落を防ぐことができる。なお、連通溝ｒは、貫通孔６ｂ，６ｃ間をも連通させるように形成してもよい。
【００４２】
図９は、逆止弁１０の異なる例を示し、この場合、保護部材６に代えて、リング状の挟持部材１６によって、袋体４の弁用開口５の周縁部５ａをベース板２の外周に挟持させている。即ち、挟持部材１６の内周下部に、ベース板２の周状突部２ｈに係止する係止溝１６ｈを形成し、該係止溝１６ｈと周状突部２ｈの間に袋体４の弁用開口５の周縁を挟持させ、挟持部材１６の上部内周を内方に傾斜させて、ゴム弁３の周縁部３ａを覆い、その脱落等を防ぐようにしている。電気掃除機を使用しない場合には、このような簡易な構成によっても、前実施の形態と同様の作用効果が得られる。
【００４３】
なお、本発明は、実施の形態に限定されることなく、発明の要旨を逸脱しない限りにおいて、適宜、必要に応じて、設計変更や改良等を行うのは自由であり、図示は省略するが、例えば、袋体４の弁用開口５の周縁部をベース板２に接着剤等で接着し、ゴム弁３の周縁部３ａをベース板２に直接押圧させるように構成してもよい。また、本実施の形態では、袋体４内の空気を弁口１からリブ２ｃ間の開口２ｄを経由させて空間部３ｅに導入しているが、ゴム弁３の被係止部３ｂを支持するための係止部２ｂを支持するリブ２ｃをベース板２の中央に立設して、その周囲のベース板２に形成した複数の弁口１から空間部３ｅに空気を導入するようにしてもよい。また、その弁口１に嵌脱自在に嵌挿される突栓部をゴム弁３の内側に形成して、シール性を向上させるようにしてもよい。また、ゴム弁３の形状も、円形状に限定されることなく、楕円や矩形であってもよい。さらに、保護部材６は、ドーム状に限定されることなく平板状であってもよい。また、逆止弁１０の取付位置は、チャック１３の近傍位置でなくてもよく、適宜に選択されてよい。圧縮袋２０のチャック１３は、スライダ付きのものであってもよい。
【図面の簡単な説明】
【００４４】
【図１】本発明の実施の形態に係る逆止弁の断面図である。
【図２】（ａ）は同ゴム弁の平面図、（ｂ）は断面図、（ｃ）は底面図である。
【図３】（ａ）は同ベース板の平面図、（ｂ）は断面図、（ｃ）は底面図である。
【図４】（ａ）は同保護部材の平面図、（ｂ）は断面図、（ｃ）は底面図である。
【図５】同圧縮袋の正面図である。
【図６】同突起を持ち上げてシールを解除した状態の逆止弁の断面図である。
【図７】（ａ）は同アダプターの断面図、（ｂ）は底面図である。
【図８】同アダプターの使用時の説明図である。
【図９】同逆止弁の異なる例を示す断面図である。
【図１０】従来の圧縮袋の一例を示す正面図である。
【符号の説明】
【００４５】
１…弁口、２…ベース板、２ｂ…係止部、２ｃ…リブ、２ｄ…開口、３…ゴム弁、３ａ…周縁部、３ｂ…被係止部、３ｃ…シール面、３ｄ…突起、４…袋体、５…弁用開口、５ａ…周縁部、６…保護部材、６ａ〜６ｄ…貫通孔、６ｈ…挟持部、８…吸引ノズル、９…ノズル接続部、１０…逆止弁、１１…弁接続部、１２…開口部、１３…チャック
【図１】
0004822758.tif 000002
【図２】
0004822758.tif 000003
【図３】
0004822758.tif 000004
【図４】
0004822758.tif 000005
【図５】
0004822758.tif 000006
【図６】
0004822758.tif 000007
【図７】
0004822758.tif 000008
【図８】
0004822758.tif 000009
【図９】
0004822758.tif 000010
【図１０】
0004822758.tif 000011